(57)【要約】【課題】被切断材Ｗを十分な細片にすることのできるシュレッダーバサミ１０を提供すること。【解決手段】一方の指掛けハンドル１３ａに３枚以上が一体化される連続切断刃１１と、これらの連続切断刃１１の間に収納されて、他方の指掛けハンドル１３ｂに一体化される複数枚の細片刃１２とを、擦り合い開閉されるように枢軸１４によって連結し、細片刃１２については、切断刃部１２ａと落とし部１２ｂとを交互に形成するとともに、細片刃１２の間に位置する連続切断刃１１の先端部にのみ、切断刃部１２ａが両側になる位置に補助落とし部１１ａを形成したこと。【選択図】図１
2008206746.tif 000002
【特許請求の範囲】
【請求項１】
被切断材を略長方形状の細片に分割するシュレッダーバサミであって、
一方の指掛けハンドルに３枚以上が一体化される連続切断刃と、これらの連続切断刃の間に収納されて、他方の指掛けハンドルに一体化される複数枚の細片刃とを、擦り合い開閉されるようにの枢軸によって連結し、
前記細片刃については、切断刃部と落とし部とを交互に形成するとともに、前記細片刃の間に位置する前記連続切断刃の先端部にのみ、前記切断刃部が両側になる位置に補助落とし部を形成したことを特徴とするシュレッダーバサミ。
【発明の詳細な説明】
【技術分野】
【０００１】
本発明は、ハサミに関し、特に、被切断材Ｗを略長方形状の細片に分割するシュレッダーバサミに関するものである。
【背景技術】
【０００２】
紙やプラスチックフィルムからなる葉書や封筒には、住所や氏名等の秘密にすべき事項が記載してあり、不要になった葉書や封筒を捨てる際には、これらの住所や名前を削除しておきたい。また、コピー機が発達して、家庭内にも入ってきている現状では、秘密にすべき事項をコピーしてこれを捨てる際にも、その秘密にすべき事項を削除したい。
【０００３】
重要書類の内容が外部に漏れ出ないようにするには、一般的には「シュレッダー」と言われる専用機械を導入すればよいが、全ての書類等がシュレッダーに掛けなければならない訳でもなく、また、各家庭にシュレッダーを置くことも憚れることではある。
【０００４】
そこで、特許文献１に示されたような「ハサミ」が提案されたのである。この特許文献１の「ハサミ」は、「封筒や名刺などを廃棄する際、住所や氏名の個人情報の部分などを判読困難にするため、ハサミで切り刻む際、判読不明の細さに切り刻むためには、従来のハサミでは、通常、二回以上の動作が必要であり、一定の極細い細さで切るには、慎重にハサミを入れる必要があった」ことを解決するために提案されたものである。
【特許文献１】特開２００６−３４６４０８号公報、要約、代表図
【発明の開示】
【発明が解決しようとする課題】
【０００５】
この特許文献１に記載された「ハサミ」は、図９の（ａ）に示すように、「二枚の小刃を持つ一枚の刃と、その刃とその外側の二枚の刃」で構成された構造を持つものであり、図９の（ｂ）に示すよう切断が行えるものである。この図９の（ｂ）に示してあるのは、当該ハサミにより１回の動作で切った名刺の例であるが、切られた細片が元の名刺にくっついたままになっていて、完全には切断されていない。
【０００６】
要するに、この特許文献１のハサミでは、「短冊状」の切断は行えるが、「細片」にして、しかも元の被切断材から完全に分離したものとすることができないため、十分なシュレッダー機能を有しているとは思えない。
【０００７】
そこで、本発明者等は、被切断材Ｗを十分な細片にすることのできるシュレッダーバサミ１０とするにはどうしたらよいか、について種々検討を重ねてきた結果、本発明を完成したのである。
【０００８】
すなわち、本発明の目的とするところは、被切断材Ｗを十分な細片にすることのできるシュレッダーバサミ１０を提供することにある。
【課題を解決するための手段】
【０００９】
以上の課題を解決するために、本発明の採った手段は、後述する最良形態の説明中で使用する符号を付して説明すると、
「被切断材Ｗを略長方形状の細片に分割するシュレッダーバサミ１０であって、
一方の指掛けハンドル１３ａに３枚以上が一体化される連続切断刃１１と、これらの連続切断刃１１の間に収納されて、他方の指掛けハンドル１３ｂに一体化される複数枚の細片刃１２とを、擦り合い開閉されるように枢軸１４によって連結し、
細片刃１２については、切断刃部１２ａと落とし部１２ｂとを交互に形成するとともに、細片刃１２の間に位置する連続切断刃１１の先端部にのみ、切断刃部１２ａが両側になる位置に補助落とし部１１ａを形成したことを特徴とするシュレッダーバサミ１０」
である。
【００１０】
すなわち、本発明に係るシュレッダーバサミ１０は、葉書や封筒等の被切断材Ｗを、細片と、細い短冊状物とに細かく切断することのできるものである。例えば、被切断材Ｗとして「葉書」を例に採って、この細片化の様子を、構成との関係で説明すると、次の通りである。
【００１１】
まず、通常のハサミ、つまり刃が２枚のハサミで「葉書」を１回切断すると、ただの直線状の切れ目が１本葉書に入るだけである。ところが、本発明のシュレッダーバサミ１０では、連続切断刃１１が３本以上あって、これらの間に細片刃１２がそれぞれ入っているから、通常のハサミで切ったときの切れ目に該当する線は、図６に示すように、少なくとも「４本」入るのである。つまり、本発明に係るシュレッダーバサミ１０で被切断材Ｗを一回切断すると、図６に示すように、中央の細い短冊状物が一本と、その両側に細片の列が二本形成される。
【００１２】
ここで、もし各細片刃１２が切断刃部１２ａや落とし部１２ｂを有さない連続切断刃１１と同様な形状のものであれば、図６中に示した４本の縦の切れ目しかできない、つまり３本の短冊状物ができることになるのであるが、細片刃１２には切断刃部１２ａや落とし部１２ｂが交互に形成してあるから、中央の一本の短冊状物の両側に細片の列が二本形成されるのである。
【００１３】
細片の列が二本形成されるのは、次の理由によるが、これを図５を参照して説明する。まず、図５の右端にある切断刃部１２ａの右角に被切断材Ｗが来る間に、当該細片刃１２の両側にある各連続切断刃１１によって「切れ目」が入れられている。その各切れ目の先端が図５の右端にある切断刃部１２ａの右角に被切断材Ｗが来ると、この右角によって、図６中に示した破り目が強制的に形成される。つまり、このとき、二本の切れ目の間の葉書には、図５中の切断位置Ｌ１にて示す位置で、図６で示した切れ目に直行する方向の破り目が形成されて、先の（ハサミによる切断が進行する先）部分から破り取られるのである。
【００１４】
切断が進行して、図５中の切断位置Ｌ１から切断位置Ｌ２にて示す間では、被切断材Ｗは通常のハサミのように切断がなされるが、切断位置Ｌ２の位置になると落とし部１２ｂになるから、切断量は急に少なくなり、これまでにできた細片の部分は切断刃部１２ａの外面に押されて両連続切断刃１１間に押し込まれる。ここで、各細片刃１２の切断刃部１２ａが重要な働きをする。各切断刃部１２ａが、図４及び図５に示すように、その端面が四角形の平面となっているから、これまでにできた細片の部分は、この切断刃部１２ａの四角形の外面によって確実に両連続切断刃１１間に押し込まれるのである。
【００１５】
次に、切断位置が切断位置Ｌ３の位置に来ると、図５の右から２番目の切断刃部１２ａの右角の被切断材Ｗが当たり、ここで最初の切断刃部１２ａと同様な破り目が形成されようとする。さらに、シュレッダーバサミ１０による切断が進行すると、切断位置Ｌ２と切断位置Ｌ３との間で開口していた落とし部１２ｂの底部が被切断材Ｗに当接し始めるから底部線での切断がなされ始め、この切断が終了したとき、一つの細片が被切断材Ｗから切り離されることになるのである。この細片は、実際上は、両側の連続切断刃１１の間を押し出されていき、各切断刃部１２ａが図２に示すように、各連続切断刃１１の間から突出したときシュレッダーバサミ１０から排出されるのである。
【００１６】
各細片の列については、以上の通りであるが、図６に示した中央の短冊状物については、通常であれば、従来例を示す図９の（ｂ）に示したように、被切断材Ｗに繋がったままとなる。ところが、本発明のシュレッダーバサミ１０では、図１〜図３、図７及び図８に示すように、細片刃１２の間に位置する連続切断刃１１の先端部にのみ、切断刃部１２ａが両側になる位置に補助落とし部１１ａが形成してあるから、この補助落とし部１１ａによって当該短冊状物は被切断材Ｗから破り取られる。
【００１７】
短冊状物が被切断材Ｗから破り取られる様子をさらに詳しく説明すると、図７には、各連続切断刃１１の先端部を、各細片刃１２が対向する側から見た斜視図が示してあるが、図示中央の連続切断刃１１の先端部にのみ補助落とし部１１ａが形成してある。この補助落とし部１１ａは、図１及び図２に示す位置にあって、図８に示すように、細片刃１２側の切断刃部１２ａが左右に位置するように配置してある。この連続切断刃１１側の補助落とし部１１ａは、細片刃１２側の落とし部１２ｂと同様な働きをし、この補助落とし部１１ａの先にある部分は細片刃１２側の切断刃部１２ａの役割を果たすことになるものである。
【００１８】
このため、図６の中央に示した短冊状物の先が、中央の連続切断刃１１側の補助落とし部１１ａに位置することになると、左右の切断刃部１２ａの側面が当該補助落とし部１１ａの側面線（順に奥まっていく）に沿って擦れ合うことによって、短冊状物の先を更に伸ばすような切断を行う。換言すれば、順次出来上がっていく短冊状物の先は補助落とし部１１ａ内に落とし込まれるようになる一方、補助落とし部１１ａの先に位置する端線によって落とし込まれないように保持されるから、結果的に、短冊状物の先には図６に示したような破れ線が形成されて、被切断材Ｗから引き離されるのである。
【００１９】
以上のような当該シュレッダーバサミ１０による一回の切断作業が行われれば、図６に示したような、多数の細片と一本の短冊状物が形成され、被切断材Ｗの細片化が完了するのである。この一回の切断作業によって、葉書である被切断材Ｗの住所及び氏名箇所の細断はほぼ完了するが、まだ見える文字があるのであれば、そこをターゲットにして再び当該シュレッダーバサミ１０によるハサミ入れを行えばよい。
【００２０】
従って、本発明に係るシュレッダーバサミ１０は、被切断材Ｗを十分な細片にすることができるものとなっているのである。
【発明の効果】
【００２１】
以上の通り、本発明によれば、
「被切断材Ｗを略長方形状の細片に分割するシュレッダーバサミ１０であって、
一方の指掛けハンドル１３ａに３枚以上が一体化される連続切断刃１１と、これらの連続切断刃１１の間に収納されて、他方の指掛けハンドル１３ｂに一体化される複数枚の細片刃１２とを、擦り合い開閉されるように枢軸１４によって連結し、
細片刃１２については、切断刃部１２ａと落とし部１２ｂとを交互に形成するとともに、細片刃１２の間に位置する連続切断刃１１の先端部にのみ、切断刃部１２ａが両側になる位置に補助落とし部１１ａを形成したこと」
にその構成上の特徴があり、これにより、被切断材Ｗを十分な細片にすることのできるシュレッダーバサミ１０を提供することができるのである。
【発明を実施するための最良の形態】
【００２２】
次に、上記のように構成した本発明を、図面に示した最良の形態であるシュレッダーバサミ１０について説明すると、図１には、本発明に係るシュレッダーバサミ１０の、連続切断刃１１及び細片刃１２を開いた状態の側面図が示してある。このシュレッダーバサミ１０は、図１〜図４に示したように、一方の指掛けハンドル１３ａに３枚以上が一体化される連続切断刃１１と、これらの連続切断刃１１の間に収納されて、他方の指掛けハンドル１３ｂに一体化される複数枚の細片刃１２とを、擦り合い開閉されるように枢軸１４によって連結したものである。
【００２３】
各連続切断刃１１は、通常のハサミを構成しているものとほぼ同様なものであるが、その側面形状が同じ３枚のものを、指掛けハンドル１３ａと一体的に連結したものであり、各連続切断刃１１間には、細片刃１２が擦り合いながら移動できる空間が形成してある。細片刃１２は、本最良形態の場合、３枚の連続切断刃１１によって形成されている上記空間内に入るものであるから、同じ形状の２枚が採用されるものであり、これら２枚の細片刃１２は、指掛けハンドル１３ｂに対して一体化してある。
【００２４】
勿論、連続切断刃１１と細片刃１２とは、図１〜図４に示したように、枢軸１４によって開閉可能に連結してあり、これらの連続切断刃１１と細片刃１２とは互いに擦り合いながら切断が行えるようにしてある。
【００２５】
連続切断刃１１を３枚、これらの隙間に入る細片刃１２を２枚としたのは、被切断材Ｗに図６に示したような一本の短冊状物と、その両側に多数の細片の列を形成したいからである。従って、細片の列の外隣に短冊状物を作りたい場合には、連続切断刃１１または細片刃１２を設けるようにすればよいが、細片刃１２は、後述するように、切断刃部１２ａと落とし部１２ｂとを交互に形成したものであって側面がギザギザになっていて手触りが悪いため、側面が滑らかな連続切断刃１１と組み合わせて使用するのがよい。
【００２６】
３本の連続切断刃１１の内の中央に位置するものについては、図１、図３、図７、及び図８に示したように、その先端部分に補助落とし部１１ａが形成してある。この補助落とし部１１ａは、図６に示した中央の短冊状物を被切断材Ｗから切り離すのに必要なものであり、後述する細片刃１２側の落とし部１２ｂと同様な機能を、落とし部１２ｂとは反対側から発揮するものである。
【００２７】
細片刃１２は、図１、図２、図５、及び図８に示したように、その補助落とし部１１ａに対向する側に、切断刃部１２ａと落とし部１２ｂとを交互に形成したものである。
【００２８】
各切断刃部１２ａは、図１等に示したように、側面形状が四角形であり、端面も四角形状であるが、このようにしたのは、当該切断刃部１２ａの端面によって被切断材Ｗの切断部分を連続切断刃１１間に確実に押し込めるようにするためである。
【００２９】
一方、細片刃１２の各落とし部１２ｂは、被切断材Ｗの細片化された部分がこの中に入って、先の切断刃部１２ａの後縁によって破り目を形成し易くするものである。従って、形成された細片は、この落とし部１２ｂの底面の面積と、切断刃部１２ａの端面の面積とを合わせた面積のものとなる。
【図面の簡単な説明】
【００３０】
【図１】本発明に係るシュレッダーバサミを開いた状態の側面図である。
【図２】同シュレッダーバサミの閉じた状態の側面図である。
【図３】同シュレッダーバサミの平面図である。
【図４】同シュレッダーバサミの底面図である。
【図５】細片刃１２における切断刃部１２ａと落とし部１２ｂの、被切断材との位置関係を示す部分拡大側面図である。
【図６】当該シュレッダーバサミを使用して１回の切断を行ったときに被切断材Ｗにできる細片と短冊状物の状態を示す部分拡大平面図である。
【図７】３本の連続切断刃の先端部分を示す部分拡大斜視図である。
【図８】連続切断刃の先端に形成した補助落とし部と細片刃との関係を示す部分側面図である。
【図９】従来技術に係るシュレッダーバサミを示すもので、（ａ）はその斜視図、（ｂ）はこのシュレッダーバサミによって出来た短冊状物の様子を示す斜視図である。
【符号の説明】
【００３１】
１０    シュレッダーバサミ
１１    連続切断刃
１１ａ  補助落とし部
１２    細片刃
１２ａ  切断刃部
１２ｂ  落とし部
１３ａ  一方の指掛けハンドル
１３ｂ  他方の指掛けハンドル
１４    枢軸
Ｌ１    切断位置
Ｌ２    切断位置
Ｌ３    切断位置
Ｗ    被切断材
【図１】
2008206746.tif 000003
【図２】
2008206746.tif 000004
【図３】
2008206746.tif 000005
【図４】
2008206746.tif 000006
【図５】
2008206746.tif 000007
【図６】
2008206746.tif 000008
【図７】
2008206746.tif 000009
【図８】
2008206746.tif 000010
【図９】
2008206746.tif 000011